【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
分散型光生体変調療法（ＰＢＴ）を含むシステム：
ＰＢＴコントローラ、前記ＰＢＴコントローラはメインマイクロコントローラを含む、通信インターフェース、そしてデジタル時計；
発光ダイオード（ＬＥＤ）パッド、前記ＬＥＤパッドはパッドイクロコントローラを含む、メモリ、そしてＥＤの配列、前記ＥＤの配列は１つまたは複数のＬＥＤストリングを含む、上記の各ＬＥＤストリングのＬＥＤは直列に接続されている、そして各ＬＥＤストリングの電流を制御するためのＬＥＤドライバ；そして
前記ＰＢＴコントローラと、前記１つまたは複数のＬＥＤストリングの電流および照明を制御するための前記ＬＥＤパッドとの間でデジタルデータを伝送するための通信リンク。
【請求項２】
請求項１の分散型ＰＢＴシステム、ここで各ＬＥＤドライバは、前記パッドマイクロコントローラが各ＬＥＤストリング内の電流を制御できるように、前記パッドマイクロコントローラにリンクされている。
【請求項３】
請求項２の分散型ＰＢＴシステム、ここで、前記ＬＥＤアレイは、少なくとも２つのＬＥＤストリングを含み、第１のＬＥＤストリング内のＬＥＤは、第１の波長の光を放出することができ、第２のＬＥＤストリング内のＬＥＤは第２の波長の光を放出することができ、前記第２の波長は、前記第１の波長とは異なる。
【請求項４】
請求項２の分散型ＰＢＴシステム、ここで各ＬＥＤストリングのＬＥＤドライバは、ＭＯＳＦＥＴおよび電流検出および制御要素を含み、前記ＭＯＳＦＥＴおよび前記電流感知および制御ユニットのそれぞれは、前記ＬＥＤストリング内のＬＥＤと直列に接続されており、前記電流感知および制御ユニットは、前記ＭＯＳＦＥＴをオンおよびオフにするためのイネーブルパルスのソース、および前記ＭＯＳＦＥＴがオンになったときに前記ＭＯＳＦＥＴ内の前記電流のレベルを制御するための基準電流のソースに接続されている。
【請求項５】
請求項２の分散型ＰＢＴシステム、ここで、第１のＬＥＤストリングの基準電流源は、第１の基準ＭＯＳＦＥＴを含み、第２のＬＥＤストリングの基準電流源は、第２の基準ＭＯＳＦＥＴを含む。前記第１および第２の基準ＭＯＳＦＥＴのそれぞれは、電流ミラー構成で第３の閾値接続されたＭＯＳＦＥＴと接続されている。
【請求項６】
請求項５の分散型ＰＢＴシステムは、前記第３の閾値接続ＭＯＳＦＥＴに接続されたトリムネットワークをさらに含む。
【請求項７】
請求項５の分散型ＰＢＴシステムは、デジタルアナログ（Ｄ／Ａ）コンバータを含み、前記Ｄ／Ａコンバータの出力は、前記第３の閾値接続ＭＯＳＦＥＴにおける電流の大きさを制御する。
【請求項８】
請求項１の分散型ＰＢＴシステム、ここで通信リンクは、ＵＳＢケーブルまたは他の有線通信媒体を含む。
【請求項９】
請求項８の分散型ＰＢＴシステム、ここで通信リンクは、ＬＥＤパッドに電力を供給するための導体を含む。
【請求項１０】
請求項１の分散型ＰＢＴシステム、ここで、ＰＢＴコントローラは第１の時計を含み、ＬＥＤパッドは第２の時計を含み、前記第２の時計は上記の最初のクロックに同期されていない。
【請求項１１】
請求項１の分散型ＰＢＴシステム、ここで、ＬＥＤは、デバイスＩＤレジスタ、前記デバイスＩＤレジスタは不揮発性メモリに格納され、ＬＥＤパッドのＩＤを認証するためにＰＢＴコントローラが使用するデータで構成される。
【請求項１２】
請求項１の分散型ＰＢＴシステム、ここで、ＬＥＤパッドは、メモリ、選択されたＰＢＴ処理に従ってＬＥＤドライバを制御するためのデータを保持するメモリを備える。
【請求項１３】
請求項１のＰＢＴシステムを使用して光生体変調療法（ＰＢＴ）を実行する方法、ＰＢＴを定義するソフトウェアを送信することを含む方法、上記のＰＢＴコントローラから上記のＬＥＤパッドへの治療セッション、ＰＢＴ治療前記ＬＥＤアレイ内のＬＥＤがオンになる時間を定義するセッションおよびオフにすると、ソフトウェアは、前述のＰＢＴコントローラなどのセグメントで送信され、治療セグメントを前記ＬＥＤパッドに送信し、次に前記ＬＥＤパッドは治療セグメントを実行する。
【請求項１４】
請求項１３の方法、ここで、前記メモリはシリアルシフトを含むレジスタおよび前記ＬＥＤパッドは、デコーダを含み、送信することを含む方法ＰＢＴコントローラから前記デコーダへの前記ＰＢＴ処理セッションを定義するデータストリーム、前記デコーダの出力をシリアルシフトレジスタにロードし、前記デコーダの前記出力は、前記ＬＥＤがオンおよびオンされる前記時間を指定し、そして、前記シリアルシフトレジスタを使用して、前記ＬＥＤドライバを制御する。
【請求項１５】
請求項１４の方法、ここで、前記データストリームを送信する上記のＰＢＴコントローラから上記のデコーダへの移行は、上記のコントローラと同時に発生せず前記デコーダの前記出力を前記シリアルシフトレジスタにロードする。
【請求項１６】
請求項１のＰＢＴシステムを使用して光生体変調療法（ＰＢＴ）を実行する方法、前記ＰＢＴコントローラから前記ＬＥＤパッドに実行可能コードを含むファイルを転送することを含む方法、前記実行可能コードは、前記パッドマイクロコントローラが、前記ＰＢＴコントローラからのさらなる指示なしに、ＰＢＴ処理を実行および完了するための命令を含む。
【請求項１７】
請求項１６の方法、ここで、前記ＰＣＴコントローラから前記ＬＥＤパッドに転送された実行可能コードを含む前記ファイルは、圧縮および／または暗号化され、この方法は前記ＬＥＤパッド内の前記ファイルを解凍および／または復号化することをさらに含む。
【請求項１８】
請求項１７の方法は、前記ファイル全体を前記ＬＥＤパッド内で復号化し、次に前記ＰＢＴ処理を実行することを含む。
【請求項１９】
請求項１７に記載の方法は：
前記ＬＥＤパッド内の前記ファイルの第１の部分を復号化し、前記処理の第１の部分を実行する：そして
前記ＬＥＤパッド内の前記ファイルの第２の部分を復号化し、前記処理の第２の部分を実行する。
【請求項２０】
請求項１に記載のＰＢＴシステムを使用して光生体変調療法（ＰＢＴ）を実施する方法、ＬＥＤプレーヤを含むファイルを前記ＰＢＴコントローラから前記ＬＥＤパッドに転送することを含む方法であって、前記ＬＥＤプレーヤはＬＥＤドライバを含む。
【請求項２１】
請求項２０の方法、ここで、前記ＬＥＤプレーヤを含む前記ファイルは、暗号化および／または圧縮され、この方法は、前記ＬＥＤパッド内のファイルを復号化および／または解凍し、次いで、前記ファイルを前記ＬＥＤパッド内の揮発性メモリに格納することをさらに含む。
【請求項２２】
請求項２０の方法、ここで、前記ＬＥＤプレーヤは、波形シンセサイザとパルス幅変調（ＰＷＭ）プレーヤを備えている。
【請求項２３】
請求項２２に記載の方法は、波形プリミティブおよび波形の波形パラメトリックを前記波形シンセサイザに配信することを含み、前記波形シンセサイザは、前記波形プリミティブおよび前記波形パラメトリックを処理して、前記波形を表すＰＷＭ関数を生成する。
【請求項２４】
請求項２３の方法、ここで、前記波形プリミティブは、前記波形を正弦波として識別し、前記波形パラメトリックは、前記正弦波の周波数および振幅を指定する。
【請求項２５】
請求項２２に記載の方法は、前記波形を表現する数学関数を前記波形シンセサイザに配信することを含み、前記波形シンセサイザは、前記波形を表すＰＷＭ関数を生成するために前記数学関数を処理する。
【請求項２６】
請求項２２の方法、ここで、前記ＰＷＭプレーヤは、前記波形シンセサイザの出力信号を受信し、パルス列を生成し、前記パルス列内の各パルスは、前記波形を表す前記ＰＷＭ機能の少なくとも一部を含み、前記パルス列内のパルスは、前記ＰＷＭ機能のパルスよりも低い周波数を有する。
【請求項２７】
請求項２６の方法、ここで、前記ＬＥＤドライバは、前記ＰＷＭプレーヤの出力信号を受信し、前記波形を表すアナログ信号を生成し、前記ＬＥＤドライバは、前記１つまたは複数のＬＥＤストリングのそれぞれにおける電流の最大値を制御することによって、前記アナログ信号の最大値を決定する。
【請求項２８】
請求項２０に記載の方法は、ＬＥＤ再生ファイルを前記ＬＥＤパッド内の揮発性メモリに転送することを含み、前記再生ファイルは、ＰＢＴ処理のシーケンスを定義する。
【請求項２９】
請求項１に記載のＰＢＴシステムを使用して光生体変調療法（ＰＢＴ）を実施する方法は、点滅タイマを含む前記メモリに格納されたソフトウェアであって、以下を含む：
前記点滅タイマにカウントを開始させる；
前記点滅タイマが作動し始めてから第１の所定時間が経過したときに、前記点滅タイマに点滅タイムアウト信号を生成させ、前記点滅タイムアウト信号は、前記プログラムソフトウェアに割り込みサービスルーチン（ＩＳＲ）を実行させる；そして
前記プログラムソフトウェアにＰＢＴ処理を中断させ、前記ＩＳＲ中に前記ＬＥＤパッドの安全性チェックを実施させる。
【請求項３０】
請求項２９の方法、ここで、前記安全チェックは、温度センサーを読み取ること、および／または前記ＬＥＤパッドの電気的接続をチェックすることを含む。
【請求項３１】
請求項２９の方法、ここで、前記メモリに格納されたソフトウェアはウォッチドッグタイマを含み、その方法は以下を含む：
ＩＳＲの終了時に、上記のウォッチドッグ時間をリセットして開始；
ウォッチドッグタイマが動作し始めてから第２の所定の時間が経過したときに、ウォッチドッグタイマに割り込みフラグを生成させ、前記第２の所定の期間は、前記第１の所定の期間よりも長く；そして
前記割り込みフラグが生成されると、前記プログラムソフトウェアにＰＢＴ処理を中断させる。
【請求項３２】
請求項２９の方法、ここで、前記ＬＥＤパッドは温度センサーを含み、前記温度センサが過熱状態を検出した場合、前記ソフトウェアにＰＢＴ処理を中断させることを含む。
【請求項３３】
請求項２９の方法、ここで、前記通信リンクは、ＷｉＦｉまたは他の無線通信経路を含む。
【請求項３４】
請求項３３の方法、ここで、前記ＬＥＤパッドは安全システムを含み、前記安全システムは点滅タイマ、ウォッチドッグタイマ、および温度センサーのうちの少なくとも１つを含み、前記安全システムは、前記通信リンクを介した通信が中断されても作動し続ける。